(57)【要約】【課題】  多機能モップの提供。【解決手段】  本体アセンブリ、本体アセンブリに枢結されるモップアセンブリ、本体アセンブリに枢結されるハンドルアセンブリ、及び本体アセンブリに組付けられる貯水アセンブリで構成され、ハンドルアセンブリ上のレバーが下ろされた後、貯水アセンブリの貯水タンク内部の水が本体アセンブリ内に進入し、更に本体アセンブリ内部のピストン機構により水が噴出し、使用者に床の擦拭或いは窓を洗浄させることができる。【選択図】        図１
0003110029.tif 000002
【実用新案登録請求の範囲】
【請求項１】
本体アセンブリ、本体アセンブリに枢結されるモップアセンブリ、本体アセンブリに枢結されるハンドルアセンブリ、及び本体アセンブリに組付けられる貯水アセンブリで構成され、
該本体アセンブリのケース内部にピストン本体、ピストンカバー及び連接管が取り付けられ、前述のピストン本体に凸管があり、この凸管がケースの一端に形成された接合部と連通状態を形成し、弾性部品及びピストンが該接合部より挿入されて、該凸管内部に組付けられ、該凸管前端に凸管内と連通する入水口と出水口が設けられ、該凸管に隣接するよう入水管が設けられ、該入水管の前端に入水管と連通する出水口が設けられ、また前述の入水口と出水口にピストンカバーが組付けられ、該ピストンカバーに入水管及び出水管が設けられ、該ピストンカバーがピストン本体に組付けられ、ピストン本体の入水口及び出水口及びピストンカバーの入水管及び出水管の間に、それぞれ弾性部品及び弁が配置され、連接管の一端が前述の入水管の出水口に接続され、連接管の別端がピストンカバーの入水管に接続され、
該貯水アセンブリは、貯水タンクと水量コントローラーで構成され、該水量コントローラーは密封弁カバー、濾過弁、転向弁底座、転向弁カバー、及び第１、２、３入水管で構成され、前述の密封弁カバーと濾過弁の間に弁棒及び弾性部品が配置され、前述の転向弁底座と転向弁カバーの間に弾性部品と弁が配置され、前述の第１、２入水管の間にビーズが配置され、
下向きにモップかけをする時、ハンドルに設けられたレバーを押圧すると、該レバーが連動機構を作動させ、ピストンと弾性部品を作動させてピストン本体とピストンカバー内部の空気を押し出し、その後、使用者がレバーを開放すると、弾性部品の弾力によりピストンが押し上げられて貯水タンク内部の水が吸い出され、水が転向弁カバーより進入して弁を押し開き、ピストン本体の入水管に流入し、更に出水口より連接管及びピストンカバーの入水管とピストン本体の入水口を通り凸管中に進入し、
更に使用者がレバーを回すと、ピストンが押動され、ピストンが凸管内部に押し込まれる時、凸管内部に流入していた水が出水口よりピストンカバーの出水管及び接合管を流れ、ノズルより噴出し、水がフロア上に撒かれ使用者は撒かれた水を利用してフロアのモップかけを行なうことができることを特徴とする、多機能モップ。
【請求項２】
請求項１記載の多機能モップにおいて、貯水タンクが用水の貯蔵に用いられ、並びに貯水タンクに入口と出口が設けられ、該入口にシールキャップが配置されたことを特徴とする、多機能モップ。
【請求項３】
請求項１記載の多機能モップにおいて、ケースの開口にカバーが閉じ合わされ、このカバーの一端面に接合管が設けられ、該接合管がピストンカバーの出水管に接続され、該接合管の別端がノズルに接続されたことを特徴とする、多機能モップ。
【請求項４】
請求項１又は請求項３記載の多機能モップにおいて、ノズルが出水口の幅が入水口の幅より大きい楕円口を具え、該楕円口が円弧状の外縁を具えたことを特徴とする、多機能モップ。
【請求項５】
請求項１記載の多機能モップにおいて、水量コントローラーが出口に組付けられ、第１、２、３入水管が貯水タンク内部に延伸され、貯水タンク内部の貯水を順調に導出することを特徴とする、多機能モップ。
【請求項６】
請求項１記載の多機能モップにおいて、連動機構が複数の連動ロッドで構成されたことを特徴とする、多機能モップ。
【請求項７】
請求項１記載の多機能モップにおいて、ハンドルアセンブリのロッドが複数の外管で構成されたことを特徴とする、多機能モップ。
【請求項８】
請求項１記載の多機能モップにおいて、本体アセンブリの一端にハンドルアセンブリが組付けられたことを特徴とする、多機能モップ。
【請求項９】
請求項７記載の多機能モップにおいて、モップアセンブリはモップ板を具え、該モップ板は上、下半部で構成され、上、下半部間にスクレーパーが設けられ、別にモップ板の下半部底部に粘着帯が設けられ、モップ板の上半部に枢設部が設けられ、この枢設部に枢軸が枢結されてこの枢軸によりモップアセンブリが本体アセンブリと枢結されることを特徴とする、多機能モップ。
【請求項１０】
請求項８記載の多機能モップにおいて、モップ板の上半部に挟紙孔が設けられたことを特徴とする、多機能モップ。
【請求項１１】
本体アセンブリ、本体アセンブリに枢結されるモップアセンブリ、本体アセンブリに枢結されるハンドルアセンブリ、及び本体アセンブリに組付けられる貯水アセンブリで構成され、
該本体アセンブリのケース内部にピストン本体、ピストンカバー及び連接管が取り付けられ、前述のピストン本体に凸管があり、この凸管がケースの一端に形成された接合部と連通状態を形成し、弾性部品及びピストンが該接合部より挿入されて、該凸管内部に組付けられ、該凸管前端に凸管内と連通する入水口と出水口が設けられ、該凸管に隣接するよう入水管が設けられ、該入水管の前端に入水管と連通する出水口が設けられ、また前述の入水口と出水口にピストンカバーが組付けられ、該ピストンカバーに入水管及び出水管が設けられ、該ピストンカバーがピストン本体に組付けられ、ピストン本体の入水口及び出水口及びピストンカバーの入水管及び出水管の間に、それぞれ弾性部品及び弁が配置され、連接管の一端が前述の入水管の出水口に接続され、連接管の別端がピストンカバーの入水管に接続され、
該貯水アセンブリは、貯水タンクと水量コントローラーで構成され、該水量コントローラーは密封弁カバー、濾過弁、転向弁底座、転向弁カバー、及び第１、２、３入水管で構成され、前述の密封弁カバーと濾過弁の間に弁棒及び弾性部品が配置され、前述の転向弁底座と転向弁カバーの間に弾性部品と弁が配置され、前述の第１、２入水管の間にビーズが配置され、
モップで上向きに窓を洗う時、転向弁底座と転向弁カバー内部の弾性部品の弾力は第３入水管内の水とビーズの発生する圧力より大きいため、弁が弾性部品自身の作用力下で、転向弁カバー底部の入水口を閉じ、ピストン本体内の負圧作用下で、水を第３入水管より吸入し並びにビーズの重力を克服し第１入水管及び転向弁底座及び転向弁カバーの間に進入させ、さらにピストン本体とピストンカバーの間に進入させ、更にノズルより噴出させれば、窓に水をシャワーすることができ、使用者はモップ板のスクレーパーで窓ガラスの汚れを削ぎ落とすことができることを特徴とする、多機能モップ。
【考案の詳細な説明】
【技術分野】
【０００１】
本考案は多機能モップに係り、特に、フロアの擦拭、窓洗浄及び噴水機能を有するモップ構造に関する。
【背景技術】
【０００２】
環境を清潔に保つべく、皆が共に努力する必要があり、大晦日の大掃除だけでなく、こまめな掃除により環境を清潔に保つことが、健康な身体の維持につながる。環境を掃除する時に通常用いられる掃除用具には、箒、モップ、窓用スクレーパー及び洗剤等がある。これらの掃除用具はそれぞれに一種類の機能しか有さず、消費者が購入する時には一度に購入するか必要に応じて購入する。これでは金銭を浪費するだけでなく、収納に不便である。
【０００３】
しかし、現在市場にはワイパ片を具備するだけでなく、ガラスを擦拭する擦布層が、及び貯水室が設けられた窓用スクレーパーがあり、それは使用時に、直接水をガラスに噴射でき、更にワイパ及び擦布層によりガラス掃除を行なえる。ただし、このような設計は窓用スクレーパーに設けられているだけで、他の掃除用具には応用できない。
【考案の開示】
【考案が解決しようとする課題】
【０００４】
本考案の主要な目的は、新規な掃除用具の設計を提供することにあり、それは、噴水窓洗浄機能を具備するのみならず、モップ機能も具えた多機能モップであるものとする。
【０００５】
以上の目的を達成するため、本考案の多機能モップは、本体アセンブリ、本体アセンブリに枢結されるモップアセンブリ、本体アセンブリに枢結されるハンドルアセンブリ、及び本体アセンブリに組付けられる貯水アセンブリで構成され、ハンドルアセンブリ上のレバーが下ろされた後、貯水アセンブリの貯水タンク内部の水が本体アセンブリ内に進入し、更に本体アセンブリ内部のピストン機構により水が噴出し、使用者に床の擦拭或いは窓を洗浄させることができる。
【課題を解決するための手段】
【０００６】
請求項１の考案は、本体アセンブリ、本体アセンブリに枢結されるモップアセンブリ、本体アセンブリに枢結されるハンドルアセンブリ、及び本体アセンブリに組付けられる貯水アセンブリで構成され、
該本体アセンブリのケース内部にピストン本体、ピストンカバー及び連接管が取り付けられ、前述のピストン本体に凸管があり、この凸管がケースの一端に形成された接合部と連通状態を形成し、弾性部品及びピストンが該接合部より挿入されて、該凸管内部に組付けられ、該凸管前端に凸管内と連通する入水口と出水口が設けられ、該凸管に隣接するよう入水管が設けられ、該入水管の前端に入水管と連通する出水口が設けられ、また前述の入水口と出水口にピストンカバーが組付けられ、該ピストンカバーに入水管及び出水管が設けられ、該ピストンカバーがピストン本体に組付けられ、ピストン本体の入水口及び出水口及びピストンカバーの入水管及び出水管の間に、それぞれ弾性部品及び弁が配置され、連接管の一端が前述の入水管の出水口に接続され、連接管の別端がピストンカバーの入水管に接続され、
該貯水アセンブリは、貯水タンクと水量コントローラーで構成され、該水量コントローラーは密封弁カバー、濾過弁、転向弁底座、転向弁カバー、及び第１、２、３入水管で構成され、前述の密封弁カバーと濾過弁の間に弁棒及び弾性部品が配置され、前述の転向弁底座と転向弁カバーの間に弾性部品と弁が配置され、前述の第１、２入水管の間にビーズが配置され、
下向きにモップかけをする時、ハンドルに設けられたレバーを押圧すると、該レバーが連動機構を作動させ、ピストンと弾性部品を作動させてピストン本体とピストンカバー内部の空気を押し出し、その後、使用者がレバーを開放すると、弾性部品の弾力によりピストンが押し上げられて貯水タンク内部の水が吸い出され、水が転向弁カバーより進入して弁を押し開き、ピストン本体の入水管に流入し、更に出水口より連接管及びピストンカバーの入水管とピストン本体の入水口を通り凸管中に進入し、
更に使用者がレバーを回すと、ピストンが押動され、ピストンが凸管内部に押し込まれる時、凸管内部に流入していた水が出水口よりピストンカバーの出水管及び接合管を流れ、ノズルより噴出し、水がフロア上に撒かれ使用者は撒かれた水を利用してフロアのモップかけを行なうことができることを特徴とする、多機能モップとしている。
請求項２の考案は、請求項１記載の多機能モップにおいて、貯水タンクが用水の貯蔵に用いられ、並びに貯水タンクに入口と出口が設けられ、該入口にシールキャップが配置されたことを特徴とする、多機能モップとしている。
請求項３の考案は、請求項１記載の多機能モップにおいて、ケースの開口にカバーが閉じ合わされ、このカバーの一端面に接合管が設けられ、該接合管がピストンカバーの出水管に接続され、該接合管の別端がノズルに接続されたことを特徴とする、多機能モップとしている。
請求項４の考案は、請求項１又は請求項３記載の多機能モップにおいて、ノズルが出水口の幅が入水口の幅より大きい楕円口を具え、該楕円口が円弧状の外縁を具えたことを特徴とする、多機能モップとしている。
請求項５の考案は、請求項１記載の多機能モップにおいて、水量コントローラーが出口に組付けられ、第１、２、３入水管が貯水タンク内部に延伸され、貯水タンク内部の貯水を順調に導出することを特徴とする、多機能モップとしている。
請求項６の考案は、請求項１記載の多機能モップにおいて、連動機構が複数の連動ロッドで構成されたことを特徴とする、多機能モップとしている。
請求項７の考案は、請求項１記載の多機能モップにおいて、ハンドルアセンブリのロッドが複数の外管で構成されたことを特徴とする、多機能モップとしている。
請求項８の考案は、請求項１記載の多機能モップにおいて、本体アセンブリの一端にハンドルアセンブリが組付けられたことを特徴とする、多機能モップとしている。
請求項９の考案は、請求項７記載の多機能モップにおいて、モップアセンブリはモップ板を具え、該モップ板は上、下半部で構成され、上、下半部間にスクレーパーが設けられ、別にモップ板の下半部底部に粘着帯が設けられ、モップ板の上半部に枢設部が設けられ、この枢設部に枢軸が枢結されてこの枢軸によりモップアセンブリが本体アセンブリと枢結されることを特徴とする、多機能モップとしている。
請求項１０の考案は、請求項８記載の多機能モップにおいて、モップ板の上半部に挟紙孔が設けられたことを特徴とする、多機能モップとしている。
請求項１１の考案は、本体アセンブリ、本体アセンブリに枢結されるモップアセンブリ、本体アセンブリに枢結されるハンドルアセンブリ、及び本体アセンブリに組付けられる貯水アセンブリで構成され、
該本体アセンブリのケース内部にピストン本体、ピストンカバー及び連接管が取り付けられ、前述のピストン本体に凸管があり、この凸管がケースの一端に形成された接合部と連通状態を形成し、弾性部品及びピストンが該接合部より挿入されて、該凸管内部に組付けられ、該凸管前端に凸管内と連通する入水口と出水口が設けられ、該凸管に隣接するよう入水管が設けられ、該入水管の前端に入水管と連通する出水口が設けられ、また前述の入水口と出水口にピストンカバーが組付けられ、該ピストンカバーに入水管及び出水管が設けられ、該ピストンカバーがピストン本体に組付けられ、ピストン本体の入水口及び出水口及びピストンカバーの入水管及び出水管の間に、それぞれ弾性部品及び弁が配置され、連接管の一端が前述の入水管の出水口に接続され、連接管の別端がピストンカバーの入水管に接続され、
該貯水アセンブリは、貯水タンクと水量コントローラーで構成され、該水量コントローラーは密封弁カバー、濾過弁、転向弁底座、転向弁カバー、及び第１、２、３入水管で構成され、前述の密封弁カバーと濾過弁の間に弁棒及び弾性部品が配置され、前述の転向弁底座と転向弁カバーの間に弾性部品と弁が配置され、前述の第１、２入水管の間にビーズが配置され、
モップで上向きに窓を洗う時、転向弁底座と転向弁カバー内部の弾性部品の弾力は第３入水管内の水とビーズの発生する圧力より大きいため、弁が弾性部品自身の作用力下で、転向弁カバー底部の入水口を閉じ、ピストン本体内の負圧作用下で、水を第３入水管より吸入し並びにビーズの重力を克服し第１入水管及び転向弁底座及び転向弁カバーの間に進入させ、さらにピストン本体とピストンカバーの間に進入させ、更にノズルより噴出させれば、窓に水をシャワーすることができ、使用者はモップ板のスクレーパーで窓ガラスの汚れを削ぎ落とすことができることを特徴とする、多機能モップとしている。
【考案の効果】
【０００７】
本考案の多機能モップは、本体アセンブリ、本体アセンブリに枢結されるモップアセンブリ、本体アセンブリに枢結されるハンドルアセンブリ、及び本体アセンブリに組付けられる貯水アセンブリで構成され、ハンドルアセンブリ上のレバーが下ろされた後、貯水アセンブリの貯水タンク内部の水が本体アセンブリ内に進入し、更に本体アセンブリ内部のピストン機構により水が噴出し、使用者に床の擦拭或いは窓を洗浄させることができる。
【考案を実施するための最良の形態】
【０００８】
図１は本考案の多機能モップの立体図である。図示されるように、本考案の多機能モップは、本体アセンブリ１、本体アセンブリ１に枢結されるモップアセンブリ２、本体アセンブリ１に枢結されるハンドルアセンブリ３、及び本体アセンブリ１に組付けられる貯水アセンブリ４で構成され、以上の構成により噴水、窓洗浄機能を具えたモップ用具とされている。
【０００９】
上述の本体アセンブリ１（図２、３）は、中空ケース１１を具え、ケース１１の外表面にケース１１内部と連通する開口１１１が開設され、該ケース１１の一端にハンドルアセンブリ３の外管３１と接合される接合部１１２があり、この接合部１１２とケース１１内部が連通状態を形成し、該ケース１１の別端に枢設部品１５が組付けられ、この枢設部品１５はモップアセンブリ２と接続される。また、前述の開口１１１によりピストン本体１２、ピストンカバー１３及び連接管１４がケース１１内部に取り付けられ、前述のピストン本体１２に凸管１２１があり、この凸管１２１と前述の接合部１１２が連通状態を形成し、弾性部品１６及びピストン１７が接合部１１２より進入した後、前述の凸管１２１内部に組付けられ、該凸管１２１前端に凸管１２１内と連通する入水口１２２と出水口１２３が設けられ、該凸管１２１に隣接するよう入水管１２４が設けられ、該入水管１２４の前端に入水管１２４と連通する出水口１２５が設けられ、また前述の入水口１２２と出水口１２３にピストンカバー１３が組付けられ、該ピストンカバー１３に入水管１３１及び出水管１３２が設けられている。該ピストンカバー１３がピストン本体１２に組付けられた後、並びにピストン本体１２の入水口１２２及び出水口１２３及びピストンカバー１３の入水管１３１及び出水管１３２の間に、それぞれ弾性部品１９及び弁１９１が配置され、連接管１４の一端が前述の入水管１２４の出水口１２５に接続され、連接管１４の別端がピストンカバー１３の入水管１３１に接続され、前述のピストン本体１２、ピストンカバー１３及び連接管１４がケース１１内部に組付けられた後、開口１１１にカバー１８が閉じ合わされ、このカバー１８の一端面に接合管１８１があり、接合管１８１がピストンカバー１３の出水管１３２に接続され、また接合管１８１の別端が噴水可能なノズル１８２に接続される。
【００１０】
該モップアセンブリ２（図４）はモップ板２１を具え、このモップ板２１は上半部２１１、下半部２１２で構成され、この上半部２１１、下半部２１２の間にスクレーパー２２が設けられ、該スクレーパー２２は使用者が窓ガラスの汚れを削ぎ落とすのに用いられる。またモップ板２１の下半部２１２底部には粘着帯２３が設けられ、該粘着帯２３は使用者が擦拭布２４を粘着させるのに用いられる。またモップ板２１の上半部２１１に枢設部２５と挟紙孔２７が設けられ、この枢設部２５に枢軸２６が枢結され、この枢軸２６により本体アセンブリ１の枢設部１５と枢結される。
【００１１】
該ハンドルアセンブリ３（図２、５）は、複数の外管３１が複数の連接部品３２で接続されて組み合わされてなるロッドとされ、並びに外管３１内部に複数の連動ロッド３３で組成された連動機構が設けられ、且つ前述の外管３１の一端にハンドル３４が組付けられ、外管３１の別端は本体アセンブリ１の接合部１１２に組付けられ、また該ハンドル３４にレバー３５が枢結され、該レバー３５の一端が外管３１の一端内部に延伸され、並びに連動機構の連動ロッド３３の一端に圧接し、これにより連動ロッド３３に接続された圧接部３６が弾性部品１６及びピストン１７に圧接してそれらを作動させ、これにより貯水アセンブリ４内部の水をピストン本体１２、ピストンカバー１３、連接管１４を通してノズル１８２より噴出させる。
【００１２】
該貯水アセンブリ４（図６、７）は、貯水タンク４１と水量コントローラー４２で構成され、前述の貯水タンク４１は用水の貯蔵に用いられ、並びに入口４１１と出口４１２を具え、入口４１１にシールキャップ４１３が設けられ、出口４１２に水量コントローラー４２が組付けられ、該水量コントローラー４２は密封弁カバー４２１、濾過弁４２２、転向弁底座４２３、転向弁カバー４２４、及び第１、２、３入水管４２５、４２６、４２７が順に組み合わされてなる。並びに前述の密封弁カバー４２１と濾過弁４２２の間に弁棒４２８及び弾性部品４２９が配置され、前述の転向弁底座４２３と転向弁カバー４２４の間に弾性部品４３０と弁４３１が配置され、前述の第１、２入水管４２５、４２６の間にビーズ４３２が配置されている。前述の水量コントローラー４２の組立完成後に、前述の出口４１２に組付けられ、該第１、２、３入水管４２５、４２６、４２７が貯水タンク４１内部に延伸され、貯水タンク４１内部に貯められた水を順調に導出する。
【００１３】
図８、９は本考案の使用状態の断面図及び局部断面拡大図である。図示されるように、使用時には、モップアセンブリ２を利用してフロアを擦拭し、噴水が必要な時に、使用者が一回目にレバー３５を押圧すると（このときビーズ４３２が第１入水管４２５入口をふさぐ）、該レバー３５が連動機構の連動棒３３を押動し、ピストン本体１２及びピストンカバー１３内部の空気を押し出した後に、レバー３５を開放する。すると弾性部品１６が自身の弾力によりピストン１７を押し上げ、貯水タンク４１内部の水を吸い出し、水は転向弁カバー４２４より進入して弁４３１を押し開き、ピストン本体１２の入水管１２４に流入し、更に出水口１２５より連接管１４及びピストンカバー１３の入水管１３１とピストン本体１２の入水口１２２を通り凸管１２１中に進入する。
【００１４】
更に使用者がレバー３５を回すと、連動ロッド３３が押されてピストン１７を押動し、ピストン１７が凸管１２１内部に押し込まれる時、凸管１２１内部に流入していた水が出水口１２３よりピストンカバー１３の出水管１３２及び接合管１８１を流れ、ノズル１８２より噴出する。則ち水がフロア上に撒かれ使用者は撒かれた水を利用してフロアのモップかけを行なうことができる。
【００１５】
図１０、１１は本考案の別の使用状態の断面図及び局部断面拡大図である。図示されるように、モップで上向きに窓を洗う時は、転向弁底座４２３と転向弁カバー４２４内部の弾性部品４３０の弾力は第３入水管４２７内の水とビーズ４３２の発生する圧力より大きいため、弁４３１は弾性部品４３０自身の作用力下で、転向弁カバー４２４底部の入水口を閉じる。ピストン本体１２内の負圧作用下で、水を第３入水管４２７より吸入し並びにビーズ４３２の重力を克服し第１入水管４２５及び転向弁底座４２３及び転向弁カバー４２４の間に進入させ、さらにピストン本体１２とピストンカバー１３の間に進入させ、更にノズル１８２より噴出させれば、窓に水をシャワーすることができ、使用者はモップ板２１のスクレーパー２２で窓ガラスの汚れを削ぎ落とすことができる。
【００１６】
前述のノズル１８２は更に出水口の幅が入水口の幅より大きい楕円口１８２１を具え、該楕円口は円弧状の外縁１８２２を具え（図１２）、窓掃除する時にノズルの楕円口より噴出する水が水平扇形方式でガラスに噴射され、水平帯状のシャワー面を形成し、これにより区画ごとに削ぎ落とし作業を行なえ、一般の散布状の噴水方式とは異なり、窓ガラスの掃除に便利である。
【００１７】
以上は本考案の好ましい実施例の説明であって本考案の範囲を限定するものではなく、以上の実施例及び図面の記載に基づきなしうる細部の修飾或いは改変は、いずれも本考案の請求範囲に属するものとする。
【図面の簡単な説明】
【００１８】
【図１】本考案の多機能モップの立体図である。
【図２】本考案の本体アセンブリの分解図である。
【図３】本考案の本体アセンブリの組合せ断面図である。
【図４】本考案のモップアセンブリの分解図である。
【図５】本考案のハンドルアセンブリの分解図である。
【図６】本考案の貯水アセンブリの分解図である。
【図７】本考案の貯水アセンブリの組合せ断面図である。
【図８】本考案の使用状態の断面図である。
【図９】本考案の使用状態の局部断面拡大図である。
【図１０】本考案の別の使用状態の断面図である。
【図１１】本考案の別の使用状態の局部断面拡大図である。
【図１２】本考案のノズルの局部拡大実施例図である。
【符号の説明】
【００１９】
１  本体アセンブリ                    １１  ケース
１１１  開口                          １１２  接合部
１５  枢設部品                        １２  ピストン本体
１３  ピストンカバー                  １４  連接管
４１６、１９、４２９、４３０  弾性部品        １７  ピストン
１２１  凸管                          １２２  入水口
１２３、１２５  出水口                １２４  入水管
１３１  入水管                        １３２  出水管
１９１、４３１  弁                    １８  カバー
１８１  接合管                        １８２  ノズル
１８２１  楕円口                      １８２２  外縁
２  モップアセンブリ                  ２１  モップ板
２２  スクレーパー                    ２３  粘着帯
２４  擦拭布                          ２６  枢軸
２５  枢設部                          ２７  挟紙孔
３  ハンドルアセンブリ                ３１  外管
３２  連接部品                        ３３  連動ロッド
３４  ハンドル                        ３５  レバー
３６  圧接部                          ４  貯水アセンブリ
４１  貯水タンク                      ４２  水量コントローラー
４１１  入口                          ４１２  出口
４１３  シールキャップ                ４２１  密封弁カバー
４２２  濾過弁                        ４２３  転向弁底座
４２４  転向弁カバー                  ４２５  第１入水管
４２６  第２入水管                    ４２７  第３入水管
４２８  弁棒                          ４３２  ビーズ
【図１】
0003110029.tif 000003
【図２】
0003110029.tif 000004
【図３】
0003110029.tif 000005
【図４】
0003110029.tif 000006
【図５】
0003110029.tif 000007
【図６】
0003110029.tif 000008
【図７】
0003110029.tif 000009
【図８】
0003110029.tif 000010
【図９】
0003110029.tif 000011
【図１０】
0003110029.tif 000012
【図１１】
0003110029.tif 000013
【図１２】
0003110029.tif 000014